(57)【要約】【課題】本発明は、車載受信機と、それを搭載した自動車に関するもので、移動地点でも、選局した放送局から放送される番組コンテンツをスムーズに視聴することが出来るようにすることを目的とするものである。【解決手段】そしてこの目的を達成するために本発明は、自動車７の移動により、チューナ１０で選局している受信局に対するワークキーＫｗが存在しない状況が発生しても、先ず、その受信局のグループ局のワークキーＫｗを用いてスクランブルキーＫｓを復号し、次に復号されたスクランブルキーＫｓを用いて音声データ、または映像データの少なくとも一つの復号を行い、その後、復号された音声データ、または映像データを、前記処理部１２、１３に出力する構成とした。【選択図】図５
2014176050.tif 000002
【特許請求の範囲】
【請求項１】
チューナと、このチューナに接続された復号手段と、この復号手段に接続された音声、あるいは映像の処理部と、前記チューナ、復号手段、処理部に接続された制御部と、この制御部に接続された操作部とを備え、前記制御部は、前記復号手段によって、前記チューナで選局している受信局に対するワークキーの有無を検出し、ワークキーが存在しない時には、先ず、その受信局のグループ局のワークキーを用いてスクランブルキーを復号し、次に復号されたスクランブルキーを用いて音声データ、または映像データのいずれか一つの復号を行い、その後、復号された音声データ、または映像データを、前記処理部に出力する構成とした車載受信機。
【請求項２】
復号手段は、スクランブルキーを用いて復号した音声データ、または映像データの破損があるときには、受信局のワークキーを受信後、そのワークキーを用いてスクランブルキーを復号し、次に復号されたスクランブルキーを用いて音声データ、または映像データのいずれか一つの復号を行い、その後、復号された音声データ、または映像データを、処理部に出力する構成とした請求項１に記載の車載受信機。
【請求項３】
復号手段は、チューナの出力側に接続されたデマルチプレクサと、このデマルチプレクサに、その入力側が並列的に接続されたデスクランブラ、グループ情報生成部、スクランブルキー生成部、ワークキー生成部と、前記ワークキー生成部の入力側に接続されたデバイスキー記憶部と、前記ワークキー生成部の出力側に接続されたワークキー記憶部と、前記グループ情報生成部の出力側に接続されたグループ情報記憶部と、前記スクランブルキー生成部の出力側に接続されたスクランブルキー記憶部と、前記デスクランブラの出力側に接続されたデータ破損判定部と、このデータ破損判定部の出力側に接続された出力部と、を備え、前記ワークキー記憶部の出力側とグループ情報記憶部の出力側とを、スクランブルキー生成部に接続するとともに、前記スクランブルキー記憶部の出力側はデスクランブラに接続した請求項１または２に記載の車載受信機。
【請求項４】
請求項１から３のいずれか一つに記載の車載受信機を、車内に設けた自動車。
【発明の詳細な説明】
【技術分野】
【０００１】
本発明は、車載受信機と、それを搭載した自動車に関するものである。
【背景技術】
【０００２】
放送局から電波によって放送される番組コンテンツは、図１に示すようにスクランブル化されている。即ち、番組コンテンツは、スクランブル部１において、スクランブル鍵（キー）Ｋｓによって暗号化され、放送電波として送信されるようになっている。
【０００３】
また、スクランブルキーＫｓは、暗号部２において、ワーク鍵（キー）Ｋｗによって暗号化され、放送電波ＥＣＭ（Ｅｎｔｉｔｌｅｍｅｎｔ  Ｃｏｎｔｒｏｌ  Ｍｅｓｓａｇｅ）として送信されるようになっている。
【０００４】
さらに、ワークキーＫｗは、暗号部３において、デバイス鍵（キー）Ｋｄによって暗号化され、放送電波ＥＭＭ（Ｅｎｔｉｔｌｅｍｅｎｔ  Ｍａｎａｇｅｍｅｎｔ  Ｍｅｓｓａｇｅ）として送信されるようになっている。具体的には、これらの電波は、図２のような放送データとして放送局から送信されている。なお、図２の放送電波ＮＩＴ（Ｎｅｔｗｏｒｋ  Ｉｎｆｏｒｍａｉｏｎ  Ｔａｂｌｅ）は、放送局を識別するＩＤ等が格納されたものである。
【０００５】
また、放送電波ＢＩＴ（Ｂｒｏａｄｃａｓｔｅｒ  Ｉｎｆｏｒｍａｉｏｎ  Ｔａｂｌｅ）は、系列を識別するＩＤなどが格納されたものである。図１では、理解をしやすくするために、番組コンテンツとＥＣＭとＥＭＭを並列に記載しているが、実際には図２の状態で送信されている。
【０００６】
さて、車載受信機側では、先ず自らが保有するデバイスキーＫｄを用いて、復号部４で復号処理を行い、ワークキーＫｗを抽出する。
【０００７】
次に、このワークキーＫｗを用いて、復号部５で復号処理を行い、スクランブルキーＫｓを抽出する。
【０００８】
その後、スクランブルキーＫｓを用いて、デスクランブル部６で映像、音声を復号する。
【０００９】
そしてこれにより、映像と音声が出力されるようになっている（これに類似する技術は例えば下記特許文献１に記載されている）。
【先行技術文献】
【特許文献】
【００１０】
【特許文献１】特開２００８−３０１２９２号公報
【発明の概要】
【発明が解決しようとする課題】
【００１１】
上記従来例において、自動車がＡ地点からＢ地点に移動したことにより、今まで受信していた放送局Ａとは異なる放送局Ｂから、番組コンテンツを受信するためには、改めて、その放送局Ｂからの放送波に含まれる放送電波ＥＭＭを受信し、ワークキーＫｗを抽出しなければならない。
【００１２】
しかしながら、この放送電波ＥＭＭは１５秒に１回程度送信されるものであるので、タイミングによっては、受信までの間に、例えば１５秒もかかることがある。つまり、この間には、放送局Ｂからの番組コンテンツを視聴することが出来ない事態が発生してしまう。
【００１３】
そこで、上記先行技術文献では、複数のチューナを用い、現在選局しているものとは異なる非選局中のチューナによって、予めその地点（自動車の存在する地点）において放送されている放送電波から、各局のワークキーＫｗを抽出し、それを保存するようにしている。つまり、このようにすれば、移動した地点で、次の選局をしたときには、既にその放送局のワークキーＫｗを保存できているので、直ちにその放送局の番組コンテンツを視聴することが出来るのである。
【００１４】
しかしながら、そのようにした場合でも、例えばＢ地点において、初めて放送局Ｂを試聴する時には、まだその放送局Ｂの放送電波ＥＭＭを受信できているわけではないので、やはり、最長１５秒間は放送局Ｂの番組コンテンツを試聴することが出来ない事態が発生する。
【００１５】
そこで、本発明は、移動地点でも、選局した放送局から放送される番組コンテンツをスムーズに視聴することが出来るようにすることを目的とするものである。
【課題を解決するための手段】
【００１６】
そしてこの目的を達成するために本発明は、チューナと、このチューナに接続された復号手段と、この復号手段に接続された音声、あるいは映像の処理部と、前記チューナ、復号手段、処理部に接続された制御部と、この制御部に接続された操作部とを備え、前記制御部は、前記復号手段によって、前記チューナで選局している受信局に対するワークキーの有無を検出し、ワークキーが存在しない時には、先ず、その受信局のグループ局のワークキーを用いてスクランブルキーを復号し、次に復号されたスクランブルキーを用いて音声データ、または映像データのいずれか一つの復号を行い、その後、復号された音声データ、または映像データを、前記処理部に出力する構成とし、これにより所期の目的を達成するものである。
【発明の効果】
【００１７】
以上のように本発明は、チューナと、このチューナに接続された復号手段と、この復号手段に接続された音声、あるいは映像の処理部と、前記チューナ、復号手段、処理部に接続された制御部と、この制御部に接続された操作部とを備え、前記制御部は、前記復号手段によって、前記チューナで選局している受信局に対するワークキーの有無を検出し、ワークキーが存在しない時には、先ず、その受信局のグループ局のワークキーを用いてスクランブルキーを復号し、次に復号されたスクランブルキーを用いて音声データ、または映像データの少なくとも一つの復号を行い、その後、復号された音声データ、または映像データを、前記処理部に出力する構成としたものであるので、移動地点でも、選局した放送局から放送される番組コンテンツをスムーズに視聴することが出来るようになる。
【００１８】
即ち、本発明では、自動車などの移動により、チューナで選局している受信局に対するワークキーが存在しない状況が発生しても、先ず、その受信局のグループ局のワークキーを用いてスクランブルキーを復号し、次に復号されたスクランブルキーを用いて音声データ、または映像データの少なくとも一つの復号を行い、その後、復号された音声データ、または映像データを、前記処理部に出力する構成としたものであるので、移動地点でも、選局した放送局から放送される番組コンテンツをスムーズに視聴することが出来るようになるのである。
【図面の簡単な説明】
【００１９】
【図１】放送局におけるスクランブルと車載受信機におけるデスクランブルを説明する図
【図２】放送局からの放送波を説明する図
【図３】本発明の一実施形態にかかる車載受信機と、それを搭載した自動車を説明する図
【図４】同、車載受信機の制御ブロック図
【図５】同、車載受信機の復号手段を示す制御ブロック図
【図６】同、車載受信機の動作フローチャート
【発明を実施するための形態】
【００２０】
以下、本発明の一実施形態を、添付図面を用いて説明する。
【００２１】
（実施の形態１）
図３は、自動車７が、放送局Ａの放送エリアから、放送局Ｂの放送エリアに移動した状態を示している。
【００２２】
前記自動車７の車内には、図４に示す車載受信機８が搭載されている。
【００２３】
この車載受信機８は、アンテナ９に接続されたチューナ１０と、このチューナ１０に接続された復号手段１１と、この復号手段１１に接続された音声の処理部１２、および、映像の処理部１３と、前記チューナ１０、復号手段１１、音声の処理部１２、映像の処理部１３に接続された制御部１４と、この制御部１４に接続された操作部１５とを備えている。
【００２４】
即ち、操作部１５で選局操作を行えば、チューナ１０で受信が行え、復号手段１１で復号が行え、次に音声は、処理部１２で処理された後にスピーカ１６へと出力され、また映像は、映像の処理部１３で処理された後にディスプレイ１７へと出力されるようになっている。
【００２５】
図５は復号手段１１を示し、チューナ１０からの放送データ（図２）は、先ずは、デマルチプレクサ１８に出力される。
【００２６】
即ち、この復号手段１１は、チューナ１０の出力側に接続されたデマルチプレクサ１８と、このデマルチプレクサ１８に、その入力側が並列的に接続されたデスクランブラ１９、グループ情報生成部２０、スクランブル鍵（キー）生成部２１、ワーク鍵（キー）生成部２２と、前記ワークキー生成部２２の入力側に接続されたデバイス鍵（キー）記憶部２３と、前記ワークキー生成部２２の出力側に接続されたワークキー記憶部２４と、前記グループ情報生成部２０の出力側に接続されたグループ情報記憶部２５と、前記スクランブルキー生成部２１の出力側に接続されたスクランブルキー記憶部２６と、前記デスクランブラ１９の出力側に接続されたデータ破損判定部２７と、このデータ破損判定部２７の出力側に接続された出力部２８とを備えている。
【００２７】
また、前記ワークキー記憶部２４の出力側とグループ情報記憶部２５の出力側とを、スクランブルキー生成部２１に接続している。
【００２８】
さらに、スクランブルキー記憶部２６の出力側はデスクランブラ１９に接続している。
【００２９】
以上の構成において、図３のＡ地点は、長らく居住した地点であるので、放送局ＡのワークキーＫｗはワークキー記憶部２４に記憶されている。
【００３０】
このため、Ａ地点で放送局Ａを試聴するときには、ワークキー記憶部２４に記憶されている放送局ＡのワークキーＫｗを用いて、スクランブルキー生成部２１において放送電波ＥＣＭからスクランブルキーＫｓを復号し、それがスクランブルキー記憶部２６に記憶されるとともに、デスクランブラ１９において、スクランブルキーＫｓによるデスクランブルが行われる。
【００３１】
その結果、出力部２８を介して音声データと映像データが処理部１２、１３に出力される（図６に示す制御部１４の動作フローＳ１、Ｓ２、Ｓ３、Ｓ４）。つまり、選局した放送局Ａからの番組コンテンツをスムーズに視聴することが出来るのである。
【００３２】
これに対して、自動車７が図３のＡ地点からＢ地点に移動した場合、この地点は今まで走行したことがないとか、走行したが車載受信機８による受信をしなかったとかの場合、放送局Ｂからの番組コンテンツをスムーズに視聴することが出来ない事態が発生する。即ち、この場合には、放送局ＢのワークキーＫｗがワークキー記憶部２４に記憶されていないので、放送電波ＥＭＭを受信するまでは、放送局ＢのワークキーＫｗを入手できず、その結果として放送局Ｂからの番組コンテンツをスムーズに視聴することが出来ない。
【００３３】
そこで、本実施形態では、上記放送電波ＥＭＭに比べて遥かに短い周期で放送される放送電波ＢＩＴと、放送電波ＥＣＭを用いて、放送局Ｂからの番組コンテンツをスムーズに視聴することが出来るようにしたものである。
【００３４】
具体的には、選局した放送局ＢのワークキーＫｗがワークキー記憶部２４に記憶されていない場合、グループ情報生成部２０において、選局した放送局ＢのＩＤと、この放送局Ｂのグループ局（系列局も含む）のＩＤを確認する（図６に示す制御部１４の動作フローＳ１、Ｓ５）。
【００３５】
そして、選局した放送局Ｂのグループ局（系列局も含む）が存在する場合には、そのグループ局（系列局も含む）のワークキーＫｗを用い、スクランブルキー生成部２１において放送電波ＥＣＭからスクランブルキーＫｓを復号し、それがスクランブルキー記憶部２６に記憶されるとともに、デスクランブラ１９において、スクランブルキーＫｓによるデスクランブルが行われる（図６に示す制御部１４の動作フローＳ６、Ｓ７）。
【００３６】
この時には、制御部１４はデータ破損判定部２７において、データの破損の有無を確認し、データの破損が無ければ、出力部２８を介して音声データと映像データを処理部１２、１３から出力させる（図６に示す制御部１４の動作フローＳ８、Ｓ９）。つまり、選局した放送局Ｂからの番組コンテンツをスムーズに視聴することが出来るのである。
【００３７】
また、Ｓ５においてグループ局のワークキーＫｗがワークキー記憶部２４に記憶されていない場合や、Ｓ８において、データ破損判定部２７によるデータ破損が確認できた時には、Ｓ１へと戻り、放送電波ＥＭＭを受信するまで待つことになる。
【００３８】
以上のように、本実施形態では、自動車７の移動により、チューナ１０で選局している受信局に対するワークキーＫｗが存在しない状況が発生しても、先ず、その受信局のグループ局のワークキーＫｗを用いてスクランブルキーＫｓを復号し、次に復号されたスクランブルキーＫｓを用いて音声データ、または映像データの少なくとも一つの復号を行い、その後、復号された音声データ、または映像データを、前記処理部１２、１３に出力する構成としたものであるので、移動地点でも、選局した放送局から放送される番組コンテンツをスムーズに視聴することが出来るようになるのである。
【００３９】
尚、上記実施形態は、車載受信機を一例として述べたが、特に車載受信機に限定されるものではなく、携帯型電子機器にも同様に適用できる。
【産業上の利用可能性】
【００４０】
以上のように本発明は、チューナと、このチューナに接続された復号手段と、この復号手段に接続された音声、あるいは映像の処理部と、前記チューナ、復号手段、処理部に接続された制御部と、この制御部に接続された操作部とを備え、前記制御部は、前記復号手段によって、前記チューナで選局している受信局に対するワークキーの有無を検出し、ワークキーが存在しない時には、先ず、その受信局のグループ局のワークキーを用いてスクランブルキーを復号し、次に復号されたスクランブルキーを用いて音声データ、または映像データの少なくとも一つの復号を行い、その後、復号された音声データ、または映像データを、前記処理部に出力する構成としたものであるので、移動地点でも、選局した放送局から放送される番組コンテンツをスムーズに視聴することが出来るようになる。
【００４１】
すなわち、本発明では、自動車などの移動により、チューナで選局している受信局に対するワークキーが存在しない状況が発生しても、先ず、その受信局のグループ局のワークキーを用いてスクランブルキーを復号し、次に復号されたスクランブルキーを用いて音声データ、または映像データの少なくとも一つの復号を行い、その後、復号された音声データ、または映像データを、前記処理部に出力する構成としたものであるので、移動地点でも、選局した放送局から放送される番組コンテンツをスムーズに視聴することが出来るようになるのである。
【００４２】
したがって、車載受信機と、それを搭載した自動車としての活用が期待されるものとなる。
【符号の説明】
【００４３】
１    スクランブル部
２    暗号部
３    暗号部
４    復号部
５    復号部
６    デスクランブル部
７    自動車
８    車載受信機
９    アンテナ
１０    チューナ
１１    復号手段
１２    処理部
１３    処理部
１４    制御部
１５    操作部
１６    スピーカ
１７    ディスプレイ
１８    デマルチプレクサ
１９    デスクランブラ
２０    グループ情報生成部
２１    スクランブルキー生成部
２２    ワークキー生成部
２３    デバイスキー記憶部
２４    ワークキー記憶部
２５    グループ情報記憶部
２６    スクランブルキー記憶部
２７    データ破損判定部
２８    出力部
【図１】
2014176050.tif 000003
【図２】
2014176050.tif 000004
【図３】
2014176050.tif 000005
【図４】
2014176050.tif 000006
【図５】
2014176050.tif 000007
【図６】
2014176050.tif 000008